(57)【要約】【課題】画像品位を向上させることができ、転写電圧の制御を容易に行うことができるようにする。【解決手段】像担持体と、像担持体に静電潜像を形成する像書込手段と、現像剤像を形成する現像器と、像担持体と接触させて配設され、像担持体との間に転写部Ｐ１を形成するとともに、像担持体上の現像剤像を印刷媒体に転写する転写ローラ１７と、印刷媒体の搬送方向における転写部Ｐ１より上流側に配設され、印刷媒体を像担持体側に偏向させる印刷媒体偏向手段と、印刷媒体の搬送方向における印刷媒体偏向手段と転写部Ｐ１との間において、像担持体と対向させて配設され、印字媒体が像担持体に接触する位置において像担持体を除電するた除電手段とを有する。像担持体上の現像剤に転写ローラ１７からのクーロン力が加わっても、現像剤が空中を飛散することがなくなる。【選択図】図１
2006293414.tif 000002
【特許請求の範囲】
【請求項１】
（ａ）像担持体と、
（ｂ）該像担持体に静電潜像を形成する像書込手段と、
（ｃ）前記静電潜像に現像剤を付着させ、現像剤像を形成する現像器と、
（ｄ）前記像担持体と接触させて配設され、像担持体との間に転写部を形成するとともに、像担持体上の現像剤像を印刷媒体に転写する転写ローラと、
（ｅ）前記印刷媒体の搬送方向における前記転写部より上流側に配設され、印刷媒体を像担持体側に偏向させる印刷媒体偏向手段と、
（ｆ）前記印刷媒体の搬送方向における印刷媒体偏向手段と転写部との間において、像担持体と対向させて配設され、印字媒体が像担持体に接触する位置において像担持体を除電する除電手段とを有することを特徴とする電子写真プリンタ。
【請求項２】
前記印刷媒体偏向手段は転写補助ローラである請求項１に記載の電子写真プリンタ。
【請求項３】
前記除電手段は、導電性の材料から成る除電部材、及び該除電部材に除電電圧を印加する除電用電源を備える請求項１に記載の電子写真プリンタ。
【請求項４】
前記除電手段は、像担持体の表面を露光する露光手段、及び該露光手段に露光電圧を印加する除電用電源を備える請求項１に記載の電子写真プリンタ。
【請求項５】
前記除電電圧及び露光電圧は、印刷媒体の種類及び印刷環境のうちの少なくとも一つに対応させて変化させられる請求項３又は４に記載の電子写真プリンタ。
【請求項６】
前記転写補助ローラに補助電圧が印加される請求項２に記載の電子写真プリンタ。
【請求項７】
前記補助電圧は、印刷媒体の種類及び印刷環境のうちの少なくとも一つに対応させて変化させられる請求項６に記載の電子写真プリンタ。
【発明の詳細な説明】
【技術分野】
【０００１】
本発明は、電子写真プリンタに関するものである。
【背景技術】
【０００２】
従来、電子写真プリンタにおいては、感光体ドラムの表面が、帯電ローラによって一様にかつ均一に帯電され、ＬＥＤヘッドによって光が照射されて静電潜像が形成されるようになっている。そして、該静電潜像は現像器によって現像されて現像剤像、すなわち、トナー像になり、該トナー像は転写ローラによって用紙に転写される。
【０００３】
図２は従来の電子写真プリンタの概念図、図３は従来の電子写真プリンタの説明図である。
【０００４】
図に示されるように、回転自在に配設された感光体ドラム１１と接触させて帯電ローラ１２が配設され、該帯電ローラ１２に負の極性の電圧を印加することによって、前記感光体ドラム１１の表面が一様に、かつ、均一に負の極性に帯電させられる。そして、帯電させられた感光体ドラム１１の表面に、ＬＥＤヘッド１３の光が照射され、印刷すべき画像に対応する静電潜像が形成される。次に、現像器１４において、帯電させられた現像剤、すなわち、トナー１５を前記静電潜像に付着させると、トナー像が形成される。
【０００５】
続いて、用紙１６が感光体ドラム１１と転写ローラ１７との間に形成された転写部Ｐ１に送られ、このとき、転写用電源１８によって転写ローラ１７に正の極性の転写電圧が印加されると、感光体ドラム１１と転写ローラ１７との間に電界が発生させられ、トナー１５に転写ローラ１７からのクーロン力が加わって、トナー１５が用紙１６に付着させられる。その結果、感光体ドラム１１のトナー像が用紙１６に転写される。なお、転写後において感光体ドラム１１の表面に残留したトナー１５は、クリーニング装置１９によって除去される。
【発明の開示】
【発明が解決しようとする課題】
【０００６】
しかしながら、前記従来の電子写真プリンタにおいては、画像品位を低下させることなく良好な印刷を行うために、転写電圧を適正な範囲、すなわち、転写良好範囲に維持する必要があり、転写電圧が転写良好範囲の下限値より低くなると、画像にかすれが生じ、転写良好範囲の上限値より高くなると、感光体ドラム１１上のトナー１５が、転写部Ｐ１に到達する前に転写ローラ１７からのクーロン力によって空中を飛散し、いずれの場合も転写不良が発生してしまう。特に、トナー１５の飛散は、画像品位を極めて低下させてしまう。
【０００７】
そこで、転写電圧が転写良好範囲に収まるように転写用電源１８を制御することが考えられるが、転写良好範囲が狭いので転写電圧の制御が困難であり、しかも、用紙１６の種類、電子写真プリンタが置かれた印刷環境等によって転写良好範囲が異なるので、用紙１６の種類、印刷環境等ごとに転写電圧を異ならせて制御する必要が生じ、該制御が一層困難になってしまう。
【０００８】
本発明は、前記従来の電子写真プリンタの問題点を解決して、画像品位を向上させることができ、転写電圧の制御を容易に行うことができる電子写真プリンタを提供することを目的とする。
【課題を解決するための手段】
【０００９】
そのために、本発明の電子写真プリンタにおいては、像担持体と、該像担持体に静電潜像を形成する像書込手段と、前記静電潜像に現像剤を付着させ、現像剤像を形成する現像器と、前記像担持体と接触させて配設され、像担持体との間に転写部を形成するとともに、像担持体上の現像剤像を印刷媒体に転写する転写ローラと、前記印刷媒体の搬送方向における前記転写部より上流側に配設され、印刷媒体を像担持体側に偏向させる印刷媒体偏向手段と、前記印刷媒体の搬送方向における印刷媒体偏向手段と転写部との間において、像担持体と対向させて配設され、印字媒体が像担持体に接触する位置において像担持体を除電する除電手段とを有する。
【発明の効果】
【００１０】
本発明によれば、電子写真プリンタにおいては、像担持体と、該像担持体に静電潜像を形成する像書込手段と、前記静電潜像に現像剤を付着させ、現像剤像を形成する現像器と、前記像担持体と接触させて配設され、像担持体との間に転写部を形成するとともに、像担持体上の現像剤像を印刷媒体に転写する転写ローラと、前記印刷媒体の搬送方向における前記転写部より上流側に配設され、印刷媒体を像担持体側に偏向させる印刷媒体偏向手段と、前記印刷媒体の搬送方向における印刷媒体偏向手段と転写部との間において、像担持体と対向させて配設され、印字媒体が像担持体に接触する位置において像担持体を除電する除電手段とを有する。
【００１１】
この場合、印刷媒体は、転写部に到達する前に像担持体に接触するので、像担持体上の現像剤に転写ローラからのクーロン力が加わっても、現像剤が空中を飛散することがなくなる。
【００１２】
その結果、転写電圧が転写良好範囲の上限値より高くなっても、現像剤が飛散することがなくなるので、転写電圧を高めに設定しても、転写不良が発生するのを防止することができ、画像品位を向上させることができる。また、転写良好範囲が拡大されるので、転写電圧の制御を容易に行うことができ、しかも、印刷媒体の種類、印刷環境等ごとに転写電圧を補正する制御も容易に行うことができる。
【００１３】
また、像担持体の電荷を除去することができるので、像担持体と転写ローラとの間に形成される電界にばらつきが生じることがなくなる。その結果、画像品位を向上させることができる。
【発明を実施するための最良の形態】
【００１４】
以下、本発明の実施の形態について図面を参照しながら詳細に説明する。
【００１５】
図１は本発明の第１の実施の形態における電子写真プリンタの説明図、図４は本発明の第１の実施の形態における転写有効を示す図である。
【００１６】
図において、１１は像担持体としての感光体ドラムであり、該感光体ドラム１１の表面が、図示されない帯電ローラによって一様に、かつ、均一に帯電され、像書込手段としての図示されないＬＥＤヘッドによって光が照射されて静電潜像が形成されるようになっている。該静電潜像は図示されない現像器によって現像されてトナー像になり、該トナー像は、導電性のゴムローラから成る転写部材としての転写ローラ１７によって印刷媒体としての用紙１６に転写される。そして、該用紙１６の搬送方向における前記感光体ドラム１１より上流側に、感光体ドラム１１の幅と等しいか、又はそれ以上の幅を有する印刷媒体偏向手段としての用紙ガイド２０が、感光体ドラム１１と平行に配設される。前記用紙ガイド２０は、断面が「Ｄ」字状であり、用紙１６を案内するプレート１０から感光体ドラム１１に向けて突出させて配設される。
【００１７】
前記構成の電子写真プリンタにおいて、用紙１６は、プレート１０上を搬送され、用紙ガイド２０によって偏向させられた後、感光体ドラム１１と転写ローラ１７との間に形成された転写部Ｐ１に到達する。したがって、用紙１６は、感光体ドラム１１に近接した後に転写部Ｐ１に到達することになるので、用紙１６の搬送方向における転写部Ｐ１より上流側において感光体ドラム１１と用紙１６との接触が開始される。そして、前記転写部Ｐ１において、転写ローラ１７に印加される正の極性の転写電圧によって、転写ローラ１７と感光体ドラム１１上のトナー１５（図２参照）との間に電界が形成され、該電界が発生させるクーロン力によってトナー１５が用紙１６に付着させられる。このようにして、感光体ドラム１１のトナー像が用紙１６に転写される。
【００１８】
ここで、図４に示されるように、用紙１６が感光体ドラム１１に接触してから転写部Ｐ１に到達するまでの周長を転写有効長Ｌとすると、本実施の形態においては、
Ｌ≧１．５〔ｍｍ〕
になるように、用紙ガイド２０が配設される。なお、従来の電子写真プリンタにおける転写有効長Ｌはほぼ０〔ｍｍ〕である。
【００１９】
このように、用紙１６は、転写部Ｐ１に到達する前に感光体ドラム１１に接触するので、感光体ドラム１１上のトナー１５に転写ローラ１７からのクーロン力が加わっても、トナー１５が空中を飛散することがなくなる。
【００２０】
続いて、感光体ドラム１１の回転に伴って、用紙１６が更に搬送されて転写部Ｐ１に到達すると、前記トナー１５が、転写ローラ１７からのクーロン力により用紙１６に付着する。
【００２１】
その結果、転写電圧が転写良好範囲の上限値より高くなっても、トナー１５が飛散することがなくなるので、転写電圧を高めに設定しても、転写不良が発生するのを防止することができ、画像品位を向上させることができる。また、転写良好範囲が拡大するので、転写電圧の制御を容易に行うことができ、しかも、用紙１６の種類、印刷環境等ごとに転写電圧を補正する制御も容易に行うことができる。
【００２２】
次に、本発明の第２の実施の形態について説明する。なお、第１の実施の形態と同じ構造を有するものについては、同じ構造を有することによる発明の効果については同実施の形態の効果を援用する。
【００２３】
図５は本発明の第２の実施の形態における電子写真プリンタの第１の状態図、図６は本発明の第２の実施の形態における電子写真プリンタの第２の状態図である。
【００２４】
図において、１１は像担持体としての感光体ドラムであり、印刷媒体としての用紙１６の搬送方向における前記感光体ドラム１１より上流側に、感光体ドラム１１の幅と等しいか、又はそれ以上の幅を有する印刷媒体偏向手段としての用紙ガイド３０が、感光体ドラム１１と平行に配設される。前記用紙ガイド３０は、ピン３１、及び該ピン３１を中心にして揺動自在に支持されたフラップ３２から成り、該フラップ３２を、手動で図５に示される水平状態と図６に示される最大傾斜状態との間の任意の角度で、連続的に、又は段階的に傾けることができるようになっている。
【００２５】
ここで、本実施の形態においては、フラップ３２が水平状態に置かれると、転写有効長Ｌ（図４）は、
Ｌ＝０〔ｍｍ〕
になり、最大傾斜状態に置かれると、
Ｌ≧１．５〔ｍｍ〕
になる。
【００２６】
そして、前記フラップ３２を所定の角度で傾けると、用紙１６は、プレート１０上を搬送され、用紙ガイド３０によって偏向させられた後、感光体ドラム１１と転写部材としての転写ローラ１７との間に形成された転写部Ｐ１に到達する。したがって、用紙１６は、感光体ドラム１１に近接した後に転写部Ｐ１に到達することになるので、用紙１６の搬送方向における転写部Ｐ１より上流側において感光体ドラム１１と用紙１６との接触が開始される。
【００２７】
ところで、転写有効長Ｌが長いほど、トナー１５（図２参照）が飛散する量を少なくすることができるが、フラップ３２の角度が大きくなるほど感光体ドラム１１とフラップ３２の先端とのギャップが狭くなってしまう。
【００２８】
ところが、本実施の形態においては、種類が異なる用紙１６に対して印刷を行う場合に、用紙１６の厚さに対応させてフラップ３２の角度を変更することができるので、用紙１６の種類によって転写良好範囲が異なっても、フラップ３２の角度を無用に大きくする必要がなく、転写不良が発生するのを防止することができ、画像品位を向上させることができる。
【００２９】
次に、本発明の第３の実施の形態について説明する。なお、第１の実施の形態と同じ構造を有するものについては、同じ構造を有することによる発明の効果については同実施の形態の効果を援用する。
【００３０】
図７は本発明の第３の実施の形態における電子写真プリンタのブロック図、図８は本発明の第３の実施の形態における用紙ガイド駆動部を示される斜視図、図９は本発明の第３の実施の形態における用紙ガイド駆動部を示される側面図である。
【００３１】
図７において、３５は用紙ガイド駆動部、３６は該用紙ガイド駆動部３５を統括する用紙ガイド制御部、３７は電子写真プリンタの全体を統括するプリンタ制御部であり、該プリンタ制御部３７は、図示されないＣＰＵ、ＲＡＭ、ロジック回路等から成る。
【００３２】
前記用紙ガイド駆動部３５は、印刷媒体偏向手段としての用紙ガイド４０、該用紙ガイド４０を作動させるためのモータ（ステッピングモータ）４２、前記用紙ガイド４０とモータ４２との間に配設されたギヤ４３、４４等を備える。また、前記用紙ガイド４０は、ピン４５、及び該ピン４５を中心にして揺動自在に支持されたフラップ４６から成り、前記モータ４２を駆動することによって、フラップ４６を、自動的に水平状態と最大傾斜状態との間の任意の角度で、連続的に、又は段階的に傾けることができるようになっている。
【００３３】
そして、前記プリンタ制御部３７は、ユーザによって設定された印刷媒体としての用紙１６（図６）の厚さ、又は図示されないセンサによって検出された用紙１６の厚さに対応させて、フラップ４６の角度を変更する。したがって、用紙１６の種類によって転写良好範囲が異なっても、転写不良が発生するのを防止することができ、画像品位を向上させることができる。
【００３４】
しかも、フラップ４６の角度を自動的に変更することができるので、作業を簡素化することができる。
【００３５】
次に、本発明の第４の実施の形態について説明する。なお、第１の実施の形態と同じ構造を有するものについては、同じ構造を有することによる発明の効果については同実施の形態の効果を援用する。
【００３６】
図１０は本発明の第４の実施の形態における用紙ガイドの動作を示されるタイムチャートである。
【００３７】
この場合、印刷媒体としての用紙１６（図６）の搬送状態に対応させてフラップ４６（図８）の角度が変更させられる。そのために、用紙ガイド制御部３６（図７）は、前記用紙１６の前端が図示されない用紙センサによって検出され、用紙１６の前端が転写部Ｐ１に到達した後にモータ４２の駆動を開始し、用紙１６の印刷領域の前端が転写部Ｐ１に到達するタイミングｔ１において前記フラップ４６を回動させて角度をαにし、モータ４２を停止させる。次に、前記用紙１６の後端が前記用紙センサによって検出され、印刷領域の後端が転写部Ｐ１に到達するタイミングｔ２において、再び前記モータ４２の駆動を開始し、用紙１６の後端がフラップ４６から離れる前に前記フラップ４６を回動させて角度を０にする。
【００３８】
このように、前記用紙１６の前端が転写部Ｐ１に到着した後に前記フラップ４６の回動が開始されるので、用紙１６を円滑に転写部Ｐ１に送ることができ、用紙ジャムが発生するのを防止することができる。また、用紙１６の後端がフラップ４６から離れる前に前記フラップ４６の角度が０にされるので、用紙１６が用紙ガイド４０を抜けるときのショックでトナー１５（図２参照）が飛散するのを防止することができる。
【００３９】
したがって、転写不良が発生するのを一層防止することができ、画像品位を向上させることができる。
【００４０】
次に、本発明の第５の実施の形態について説明する。なお、第１の実施の形態と同じ構造を有するものについては、同じ符号を付与することによってその説明を省略する。
【００４１】
図１１は本発明の第５の実施の形態における電子写真プリンタの説明図である。
【００４２】
この場合、印刷媒体偏向手段としての用紙ガイド５１は、図示されない給紙機構と転写部Ｐ１との間に配設され、緩やかな傾斜で印刷媒体としての用紙１６を偏向させる。したがって、用紙１６を円滑に転写部Ｐ１に送ることができるので、用紙ジャムが発生するのを防止することができる。
【００４３】
次に、本発明の第６の実施の形態について説明する。
【００４４】
図１２は本発明の第６の実施の形態における電子写真プリンタの説明図である。
【００４５】
この場合、像担持体としての感光体ドラム１１に近接させて搬送ローラ５２が配設され、転写部材としての転写ローラ１７と搬送ローラ５２との間にベルト５４が張設され、かつ、前記搬送ローラ５２と対向させて加圧ローラ５３が配設される。なお、前記搬送ローラ５２及び加圧ローラ５３によって印刷媒体偏向手段が構成される。
【００４６】
したがって、感光体ドラム１１に近接する位置において、搬送ローラ５２及び加圧ローラ５３によって印刷媒体としての用紙１６が挟持されるので、該用紙１６は、感光体ドラム１１に確実に近接した後に転写部Ｐ１に到達することになる。また、搬送ローラ５２の表面に沿って用紙１６が搬送されるので、搬送方向が急激に変化することがなくなる。その結果、用紙ジャムが発生するのを防止することができる。
【００４７】
次に、本発明の第７の実施の形態について説明する。なお、第１の実施の形態と同じ構造を有するものについては、同じ符号を付与することによってその説明を省略する。
【００４８】
図１３は本発明の第７の実施の形態における電子写真プリンタの説明図である。
【００４９】
この場合、印刷媒体偏向手段としてのプレート５８が、印刷媒体としての用紙１６の搬送方向における転写部Ｐ１より上流側に、かつ、転写部Ｐ１より高い位置に形成される。したがって、用紙１６は、像担持体としての感光体ドラム１１に確実に近接した後に転写部Ｐ１に到達することになる。
【００５０】
次に、本発明の第８の実施の形態について説明する。なお、第１の実施の形態と同じ構造を有するものについては、同じ符号を付与することによってその説明を省略する。
【００５１】
図１４は本発明の第８の実施の形態における電子写真プリンタの説明図である。
【００５２】
この場合、印刷媒体偏向手段としてのプレート５９が、印刷媒体としての用紙１６の搬送方向における転写部Ｐ１より上流側に、かつ、転写部Ｐ１に対して斜め上方に向けて形成される。したがって、用紙１６は、像担持体としての感光体ドラム１１に確実に近接した後に転写部Ｐ１に到達することになる。
【００５３】
ところで、前記各実施の形態においては、用紙１６の搬送方向における転写部Ｐ１より上流側に印刷媒体偏向手段が配設され、該印刷媒体偏向手段によって用紙１６を偏向させ、前記転写部Ｐ１より上流側において感光体ドラム１１に接触させるようにしている。
【００５４】
ところが、第１〜第３、第７及び第８の実施の形態においては、印刷媒体偏向手段によって用紙１６を偏向させることによって、用紙１６の搬送方向が急激に変化するので、用紙１６を偏向させるのに伴って用紙ジャムが発生してしまうことがある。
【００５５】
そこで、用紙１６を偏向させる際に用紙ジャムが発生するのを防止することができるようにした本発明の第９の実施の形態について説明する。なお、第１の実施の形態と同じ構造を有するものについては、同じ符号を付与することによってその説明を省略する。
【００５６】
図１５は本発明の第９の実施の形態における電子写真プリンタの説明図である。
【００５７】
この場合、像担持体としての感光体ドラム１１に所定の圧力で圧接させて、導電性のゴムローラから成る印刷媒体偏向手段としての転写補助ローラ６１が配設され、前記感光体ドラム１１と転写補助ローラ６１との間に補助転写部Ｐ２が形成される。なお、Ｒ１は転写用電源１８と転写部材としての転写ローラ１７との間に配設された抵抗である。
【００５８】
したがって、印刷媒体としての用紙１６を搬送すると、転写部Ｐ１及び補助転写部Ｐ２の二点において用紙１６が感光体ドラム１１に押し付けられるので、搬送方向における補助転写部Ｐ２と転写部Ｐ１との間の広い範囲にわたって用紙１６と感光体ドラム１１とが面接触させられることになる。その結果、用紙１６は、感光体ドラム１１に確実に当接した後に転写部Ｐ１に到達することになる。
【００５９】
また、用紙１６は、転写補助ローラ６１の表面に沿って補助転写部Ｐ２に送られるので、搬送方向が急激に変化することがなくなる。したがって、転写補助ローラ６１によって用紙１６を偏向する際に用紙ジャムが発生するのを防止することができる。
【００６０】
次に、本発明の第１０の実施の形態について説明する。なお、第９の実施の形態と同じ構造を有するものについては、同じ符号を付与することによってその説明を省略する。
【００６１】
図１６は本発明の第１０の実施の形態における電子写真プリンタの説明図である。
【００６２】
この場合、転写用電源１８と転写部材としての転写ローラ１７の金属シャフト１７ａとが抵抗Ｒ１を介して接続され、該抵抗Ｒ１と金属シャフト１７ａとの間の結線部分ｍと、印刷媒体偏向手段としての転写補助ローラ６１の金属シャフト６１ａとが抵抗Ｒ２を介して接続されるようになっている。
【００６３】
そして、転写用電源１８によって、転写ローラ１７に転写電圧が印加されるとともに、転写補助ローラ６１に補助電圧が印加される。この場合、転写ローラ１７の表面電位が転写補助ローラ６１の表面電位より高くなるように、各抵抗Ｒ１、Ｒ２の抵抗値、並びに転写ローラ１７及び転写補助ローラ６１を構成する導電性部材の抵抗値を設定する。なお、転写ローラ１７及び転写補助ローラ６１に同じ導電性部材が使用される場合、又は、転写ローラ１７及び転写補助ローラ６１の電気的な抵抗特性が等しい場合は、結線部分ｍと金属シャフト６１ａとの間に単に抵抗Ｒ２を配設するだけでよく、各抵抗値を設定する必要はない。
【００６４】
このように、転写補助ローラ６１に補助電圧が印加され、転写ローラ１７の表面電位が転写補助ローラ６１の表面電位より高くされるので、転写ローラ１７に転写電圧を印加することによって形成される電界より弱い電界が転写補助ローラ６１によって形成されることになる。したがって、転写部Ｐ１における電界の変化を小さくすることができるので、像担持体としての感光体ドラム１１上のトナー１５（図２参照）が飛散することがなくなり、転写不良が発生するのを防止することができる。
【００６５】
また、印刷媒体としての用紙１６が転写部Ｐ１に到達する前に、露光後の感光体ドラム１１上に残った帯電電荷の一部を除去することができるので、用紙１６は安定した状態で転写部Ｐ１を通る。したがって、画像品位を向上させることができる。
【００６６】
次に、本発明の第１１の実施の形態について説明する。なお、第１０の実施の形態と同じ構造を有するものについては、同じ符号を付与することによってその説明を省略する。
【００６７】
図１７は本発明の第１１の実施の形態における電子写真プリンタの説明図である。
【００６８】
この場合、印刷媒体偏向手段としての転写補助ローラ６１に転写電圧と同じ極性の補助電圧を印加するために補助電源６２が配設され、該補助電源６２と金属シャフト６１ａとが抵抗Ｒ３を介して接続される。
【００６９】
また、転写部材としての転写ローラ１７の表面電位が転写補助ローラ６１の表面電位より高くなるように、各抵抗Ｒ１、Ｒ３の抵抗値、転写ローラ１７及び転写補助ローラ６１を構成する導電性部材の抵抗値、転写電圧並びに補助電圧が設定される。
【００７０】
ところで、電子写真プリンタが置かれる温度、湿度等の印刷環境が変動すると、印刷媒体としての用紙１６が像担持体としての感光体ドラム１１に接触する状態にばらつきが生じ、転写不良が発生するのを確実に防止することができない。そこで、温度、湿度等の印刷環境が変動しても、転写不良が発生するのを確実に防止することができるようにした本発明の第１２の実施の形態について説明する。
【００７１】
図１８は本発明の第１２の実施の形態における温度と湿度と補助電圧との関係を示される図である。
【００７２】
この場合、印刷媒体としての用紙１６（図１７）は、印刷環境のうちの、特に温度ｔ及び湿度ｗの変動によって特性が変化する。したがって、印刷媒体偏向手段としての転写補助ローラ６１に印加される補助電圧は、温度ｔ及び湿度ｗの変動に対応して最適値が変化する。一般に、低温で低湿の印刷環境下において、用紙１６の抵抗値は大きくなり、用紙１６の表面（印刷面）と像担持体としての感光体ドラム１１との間に形成される電界が小さくなる傾向があり、逆に高温で高湿の印刷環境下において、用紙１６の抵抗値は小さくなり、前記電界が大きくなる傾向がある。
【００７３】
そこで、各温度ｔ及び各湿度ｗに対応させて、転写補助ローラ６１に印加される補助電圧の最適値を計算、実験等によりあらかじめ検出し、図に示されるように検出結果をテーブルとして図示されない制御部内の記憶部に格納しておく。
【００７４】
そして、前記制御部は、印刷動作に先立って図示されない温度センサによって検出された温度ｔ、及び図示されない湿度センサによって検出された湿度ｗを読み出し、現在、電子写真プリンタが置かれている印刷環境を認識するとともに、前記テーブルを参照して転写補助ローラ６１に印加する補助電圧の電圧値を決定する。また、前記制御部は、印刷動作が開始されると、所定のタイミングで前記補助電源６２をオンにし、転写補助ローラ６１に補助電圧を印加する。
【００７５】
このように、印刷環境の変動に対応する最適な補助電圧を転写補助ローラ６１に印加することができるので、画像品位を向上させることができる。
【００７６】
ところで、用紙１６の種類によって厚さが異なると、用紙１６が感光体ドラム１１に接触する状態にばらつきが生じ、転写不良が発生するのを確実に防止することができない。
【００７７】
そこで、用紙１６の種類によって厚さが異なっても、転写不良が発生するのを確実に防止することができるようにした本発明の第１３の実施の形態について説明する。
【００７８】
次に、本発明の第１３の実施の形態について説明する。
【００７９】
図１９は本発明の第１３の実施の形態における用紙の種類と補助電圧との関係を示される図である。
【００８０】
図において、Ｍ１〜Ｍ４は印刷媒体としての用紙１６（図１７）の種類を、ε１〜ε６は電子写真プリンタが置かれた印刷環境によって決まる印刷環境変数を表す。
【００８１】
この場合、用紙１６の種類によって、厚さ、硬さ、大きさ、材質等が異なると、用紙１６の特性も異なり、例えば、用紙１６が厚いと用紙１６の抵抗値が大きくなる。
【００８２】
そして、用紙１６の抵抗値が大きくなると、用紙１６の表面と像担持体としての感光体ドラム１１との間に形成される電界は小さくなり、用紙１６の抵抗値が小さくなると、前記電界は大きくなる。したがって、印刷媒体偏向手段としての転写補助ローラ６１に印加される補助電圧の最適値は、用紙１６の種類によって異なる。
【００８３】
そこで、用紙１６の種類に対応させて、補助電圧の最適値を計算、実験等によってあらかじめ検出し、図に示されるように検出結果をテーブルとして図示されない制御部内の記憶部に格納しておく。
【００８４】
そして、前記制御部は、印刷動作に先立って、図示されないホストコンピュータからの指示に基づいて、又は電子写真プリンタに配設された図示されない操作盤における設定に基づいて用紙１６の種類を認識し、前記テーブルを参照して転写補助ローラ６１に印加する補助電圧の電圧値を決定する。また、前記制御部は、印刷動作が開始されると、所定のタイミングで前記補助電源６２をオンにし、転写補助ローラ６１に補助電圧を印加する。
【００８５】
このように、用紙１６の種類に対応する最適な補助電圧を転写補助ローラ６１に印加することができるので、画像品位を向上させることができる。
【００８６】
次に、本発明の第１４の実施の形態について説明する。
【００８７】
図２０は本発明の第１４の実施の形態における電子写真プリンタの第１の説明図、図２１は本発明の第１４の実施の形態における電子写真プリンタの第２の説明図、図２２は本発明の第１４の実施の形態における用紙の種類と湿度と媒体接触角度との関係図である。なお、第１１の実施の形態と同じ構造を有するものについては、同じ符号を付与することによってその説明を省略する。
【００８８】
この場合、印刷媒体偏向手段としての転写補助ローラ６１を、図示されない駆動部によって像担持体としての感光体ドラム１１の表面に沿って移動させることができるようになっている。すなわち、感光体ドラム１１の中心と転写部材としての転写ローラ１７の中心とを結ぶ線と、感光体ドラム１１の中心と転写補助ローラ６１の中心とを結ぶ線とが成す鋭角側の角度、すなわち、接触角度をαとしたとき、転写補助ローラ６１を感光体ドラム１１の表面に沿って移動させると、接触角度αが変化する。
【００８９】
なお、図２０は接触角度αを大きくしてα１にしたときの状態を示し、図２１は接触角度αを小さくしてα２にしたときの状態を示される。また、Ｍ１〜Ｍ３は用紙１６の種類を表す。
【００９０】
ところで、印刷媒体としての用紙１６の種類によって、厚さ、硬さ、大きさ、材質等が異なるので、図示されない用紙搬送路を搬送する際にそれぞれ異なる問題が発生することがある。例えば、官製葉書等の厚紙に対して印刷を行う場合、前記接触角度αが大きいと、用紙１６が大きく偏向させられることになる。その結果、厚紙がカールしたり、折れ曲がったりするだけでなく、用紙ジャムが発生してしまうことがある。
【００９１】
そこで、本実施の形態においては、用紙１６の種類及び電子写真プリンタが置かれる湿度に対応させて前記接触角度αを変化させるようにしている。
【００９２】
また、用紙１６の種類及び電子写真プリンタが置かれる湿度ｗに対応させて、前記接触角度αの最適値を計算、実験等によってあらかじめ検出し、図２２に示されるように検出結果をテーブルとして図示されない制御部内の記憶部に格納しておくこともできる。
【００９３】
この場合、前記制御部は、印刷動作に先立って、図示されないホストコンピュータからの指示に基づいて、又は電子写真プリンタに配設された図示されない操作盤における設定に基づいて用紙１６の種類を認識し、図示されない湿度センサによって検出された湿度ｗを読み出し、前記テーブルを参照して前記接触角度αを決定する。
【００９４】
このように、用紙１６の種類及び電子写真プリンタが置かれる湿度ｗに対応する最適な接触角度αを設定することができるので、画像品位を向上させることができる。また、厚紙がカールしたり、折れ曲がったりすることがなくなるだけでなく、用紙ジャムが発生するのを防止することができる。
【００９５】
次に、本発明の第１５の実施の形態について説明する。なお、第１１の実施の形態と同じ構造を有するものについては、同じ符号を付与することによってその説明を省略する。
【００９６】
図２３は本発明の第１５の実施の形態における電子写真プリンタの第１の説明図、図２４は本発明の第１５の実施の形態における電子写真プリンタの第２の説明図、図２５は本発明の第１５の実施の形態における用紙の種類と湿度と退避量との関係図である。
【００９７】
この場合、印刷媒体偏向手段としての転写補助ローラ６１を、図示されない駆動部によって像担持体としての感光体ドラム１１の径方向において移動させると、転写補助ローラ６１は感光体ドラム１１に対して接離させられ、感光体ドラム１１の表面と転写補助ローラ６１の中心とを結ぶ距離、すなわち、転写補助ローラ６１の退避量を変化させることができる。
【００９８】
なお、図２３は退避量を大きくしたときの状態を示し、図２４は退避量を小さくしたときの状態を示される。また、Ｍ１〜Ｍ３は用紙１６の種類を表す。
【００９９】
ところで、印刷媒体としての用紙１６の種類によって、厚さ、硬さ、大きさ、材質等が異なるので、図示されない用紙搬送路を搬送する際にそれぞれ異なる問題が発生することがある。例えば、官製葉書等の厚紙に対して印刷を行う場合、前記退避量が小さいと、用紙１６が大きく偏向させられることになる。その結果、厚紙がカールしたり、折れ曲がったりするだけでなく、用紙ジャムが発生してしまう。
【０１００】
そこで、本実施の形態においては、用紙１６の種類及び電子写真プリンタが置かれる湿度ｗに対応させて前記退避量を変化させるようにしている。
【０１０１】
また、用紙１６の種類及び電子写真プリンタが置かれる湿度ｗに対応させて、前記退避量の最適値を計算、実験等によりあらかじめ検出し、図２５に示されるように検出結果をテーブルとして図示されない制御部内の記憶部に格納しておく。
【０１０２】
この場合、前記制御部は、印刷動作に先立って、図示されないホストコンピュータからの指示に基づいて、又は電子写真プリンタに配設された図示されない操作盤における設定に基づいて用紙１６の種類を認識し、図示されない湿度センサによって検出された湿度ｗを読み出し、前記テーブルを参照して前記退避量を決定する。
【０１０３】
このように、用紙１６の種類及び電子写真プリンタが置かれる湿度ｗに対応する最適な退避量を設定することができるので、画像品位を向上させることができる。また、厚紙がカールしたり、折れ曲がったりすることがなくなるだけでなく、用紙ジャムが発生するのを抑制することができる。
【０１０４】
なお、本実施の形態においては、印刷動作中において所定の退避量が設定されるようになっているが、用紙ジャムが発生したときに転写補助ローラ６１を感光体ドラム１１から離すことができる。この場合、転写補助ローラ６１が感光体ドラム１１から離れるので用紙１６を容易に排除することができる。
【０１０５】
次に、本発明の第１６の実施の形態について説明する。なお、第９の実施の形態と同じ構造を有するものについては、同じ符号を付与することによってその説明を省略する。
【０１０６】
図２６は本発明の第１６の実施の形態における電子写真プリンタの第１の状態図、図２７は本発明の第１６の実施の形態における転写ユニットの要部斜視図、図２８は本発明の第１６の実施の形態における電子写真プリンタの第２の状態図である。
【０１０７】
この場合、転写部材としての転写ローラ１７と印刷媒体偏向手段としての転写補助ローラ６１との間に高抵抗導電性の材料によって形成された転写ベルト６４が緩みのない（又は少ない）状態で張設され、転写ローラ１７、転写補助ローラ６１及び転写ベルト６４によって転写ユニット９１が形成される。そして、該転写ユニット９１は、転写ローラ１７の軸を中心にして揺動自在に、かつ、像担持体としての感光体ドラム１１に対して接離自在に配設される。
【０１０８】
印刷動作中において、前記転写ユニット９１は図２６に示される位置に置かれ、転写ローラ１７及び転写補助ローラ６１が感光体ドラム１１に押し付けられる。したがって、転写ベルト６４は、感光体ドラム１１の回転に伴って従動し、矢印方向に走行させられる。そして、印刷媒体としての用紙１６の搬送方向における補助転写部Ｐ２と転写部Ｐ１との間において転写ベルト６４と感光体ドラム１１とが面接触する。
【０１０９】
なお、前記転写ベルト６４の幅は転写ローラ１７及び転写補助ローラ６１の軸方向の長さとほぼ等しくされる。
【０１１０】
そして、用紙１６は、図示されない印刷媒体搬送手段によって矢印方向に搬送され、補助転写部Ｐ２において感光体ドラム１１及び転写ベルト６４によって挟まれ、感光体ドラム１１と面接触した状態で転写部Ｐ１に送られ、該転写部Ｐ１において感光体ドラム１１及び転写ベルト６４から離れる。この間、感光体ドラム１１と用紙１６とは良好に面接触するので、画像品位を向上させることができる。
【０１１１】
そして、用紙ジャムが発生したときに、図２８に示されるように転写ユニット９１を感光体ドラム１１から離すことができる。この場合、転写ベルト６４が感光体ドラム１１から離れるので用紙１６を容易に排除することができる。
【０１１２】
なお、本実施の形態においては、転写補助ローラ６１に補助電圧を印加するようになっていないが、第１０、第１１の実施の形態と同様に、前記転写補助ローラ６１に補助電圧を印加したり、第１２の実施の形態と同様に、補助電圧の電圧値を印刷環境の変動に対応させて変更したり、第１３の実施の形態と同様に、補助電圧の電圧値を用紙１６の種類に対応させて変更したりすることができる。
【０１１３】
ところで、前記各実施の形態においては、感光体ドラム１１の表面に静電潜像が形成されるとき、感光体ドラム１１の表面における静電潜像の画像部以外の部分に電荷（本実施の形態においては負の極性の電荷）が残留する。そして、転写時において、転写ローラ１７に転写電圧（本実施の形態においては正の極性の電圧）が印加されるので、感光体ドラム１１の表面に残留する電荷は転写に伴って除去される。
【０１１４】
このとき、除去される電荷によって抵抗Ｒ１を電流が流れるが、静電潜像の非画像部の面積が大きく、残留する電荷が多い場合、抵抗Ｒ１を流れる電流が多くなり、静電潜像の非画像部の面積が小さく、残留する電荷が少ない場合、抵抗Ｒ１を流れる電流が少なくなる。
【０１１５】
したがって、形成される画像のパターンが変化して、非画像部の面積が変化すると、転写時において、抵抗Ｒ１を流れる電流が変化し、感光体ドラム１１と転写ローラ１７との間に形成される電界にばらつきが生じてしまう。
【０１１６】
その結果、画像品位を低下させてしまう。そこで、感光体ドラム１１と転写ローラ１７との間に形成される電界にばらつきが生じることがない本発明の第１７の実施の形態について説明する。なお、第９の実施の形態と同じ構造を有するものについては、同じ符号を付与することによってその説明を省略する。
【０１１７】
図２９は本発明の第１７の実施の形態における電子写真プリンタの説明図、図３０は本発明の第１７の実施の形態における除電部材の斜視図である。
【０１１８】
この場合、印刷媒体としての用紙１６の搬送方向における補助転写部Ｐ２と転写部Ｐ１との間において、導電性の材料から成る除電部材６６が像担持体としての感光体ドラム１１と対向させて、かつ、非接触状態で配設される。そして、前記除電部材６６に除電用電源６７が接続され、除電部材６６に所定の除電電圧を印加する。前記除電部材６６の感光体ドラム１１と対向する部分は、電荷を容易に除去することができるように、波形にされる。なお、前記除電部材６６及び除電用電源６７によって除電手段が構成される。
【０１１９】
本実施の形態においては、感光体ドラム１１と面接触する用紙１６の裏側から感光体ドラム１１上の電荷を除去することができるので、画像のパターンが変化しても抵抗Ｒ１を流れる電流が変化することはない。したがって、感光体ドラム１１と転写部材としての転写ローラ１７との間に形成される電界にばらつきが生じることがないので、画像品位を向上させることができる。
【０１２０】
そして、用紙１６の裏側から感光体ドラム１１上の電荷を除去する際に、電荷の除去に伴って電界が形成されるが、感光体ドラム１１と用紙１６とが面接触しているので、トナー像が移動したり、トナー１５（図２参照）が飛散したりすることがなく、画像品位を向上させることができる。
【０１２１】
なお、本実施の形態においては、印刷媒体偏向手段としての転写補助ローラ６１に補助電圧を印加するようになっていないが、第１０、第１１の実施の形態と同様に、前記転写補助ローラ６１に補助電圧を印加したり、第１２の実施の形態と同様に、補助電圧の電圧値を印刷環境の変動に対応させて変更したり、第１３の実施の形態と同様に、補助電圧の電圧値を用紙１６の種類に対応させて変更したりすることができる。
【０１２２】
次に、本発明の第１８の実施の形態について説明する。
【０１２３】
図３１は本発明の第１８の実施の形態における用紙の種類と除電電圧との関係図である。
【０１２４】
図において、Ｍ１〜Ｍ３は印刷媒体としての用紙１６（図２９）の種類を表す。
【０１２５】
この場合、用紙の種類によって、厚さ、硬さ、大きさ、材質等が異なると、用紙１６の特性も異なる。したがって、除電部材６６に印加される除電電圧の最適値は、用紙１６の種類によって異なる。そして、例えば、用紙１６が厚い場合、除電電圧が低いとすべての電荷を除電することができない。また、用紙１６が薄い場合、除電電圧が高いとトナー像が乱れてしまう。
【０１２６】
そこで、本実施の形態においては、用紙１６の種類に対応させて前記除電電圧の電圧値を変化させるようにしている。
【０１２７】
また、用紙１６の種類に対応させて、前記電圧値を計算、実験等によりあらかじめ検出し、図に示されるように検出結果をテーブルとして図示されない制御部内の記憶部に格納しておく。
【０１２８】
この場合、前記制御部は、印刷動作に先立って、図示されないホストコンピュータからの指示に基づいて、又は電子写真プリンタに配設された図示されない操作盤における設定に基づいて用紙１６の種類を認識し、前記テーブルを参照して前記電圧値を決定する。
【０１２９】
このように、用紙１６の種類及び電子写真プリンタが置かれる湿度に対応する最適な除電電圧を除電部材６６に印加することができるので、画像品位を向上させることができる。
【０１３０】
次に、本発明の第１９の実施の形態について説明する。
【０１３１】
図３２は本発明の第１９の実施の形態における温度と湿度と印刷環境変数との関係図、図３３は本発明の第１９の実施の形態における用紙の種類と印刷環境変数と除電電圧との関係を示される図である。
【０１３２】
図において、Ｍ１〜Ｍ３は印刷媒体としての用紙１６（図２９）の種類を、ε１〜ε８は電子写真プリンタが置かれた印刷環境によって決まる印刷環境変数を表す。
【０１３３】
この場合、印刷環境のうちの、特に温度ｔ及び湿度ｗ、並びに用紙１６の種類が異なると特性も異なる。したがって、除電部材６６に印加される除電電圧の最適値は、温度ｔ及び湿度ｗによって変化したり、用紙１６の種類によって異なったりする。
【０１３４】
一般に、低温で低湿の印刷環境下において、用紙１６の抵抗値は大きくなる傾向があるので、除電部材６６に印加される除電電圧の電圧値を高くし、逆に高温で高湿の印刷環境下において、用紙１６の抵抗値は小さくなる傾向があるので、前記除電電圧の電圧値を低くする必要がある。
【０１３５】
そこで、各温度ｔ及び各湿度ｗに対応させて、印刷環境変数ε１〜ε８を計算、実験等によってあらかじめ検出し、図３２に示されるように検出結果をテーブル１として図示されない制御部内の記憶部に格納しておく。また、各用紙１６の種類及び印刷環境変数ε１〜ε８に対応させて、除電電圧の電圧値を計算、実験等によってあらかじめ検出し、図３３に示されるように検出結果をテーブル２として前記記憶部に格納しておく。
【０１３６】
この場合、前記制御部は、印刷動作に先立って、図示されないホストコンピュータからの指示に基づいて、又は電子写真プリンタに配設された図示されない操作盤における設定に基づいて用紙１６の種類を認識し、図示されない温度センサによって検出された温度ｔ、及び図示されない湿度センサによって検出された湿度ｗを読み出し、前記テーブル１、２を参照して前記電圧値を決定する。
【０１３７】
例えば、温度ｔが２２〔℃〕で湿度ｗが４５〔％〕の印刷環境において、印刷環境変数はε４であるので、用紙１６の種類がＭ１である場合、前記電圧値は１０００〔Ｖ〕に決定される。
【０１３８】
なお、前記印刷環境変数ε１〜ε８は、所定の温度ｔ及び湿度ｗにおける空気中の含水量を基準にして算出される。
【０１３９】
このように、用紙１６の種類、温度ｔ及び湿度ｗに対応する最適な電圧値を設定することができるので、画像品位を向上させることができる。
【０１４０】
また、前記制御部は、印刷動作が開始されると、所定のタイミングで前記除電用電源６７をオンにし、除電部材６６に除電電圧を印加する。
【０１４１】
次に、本発明の第２０の実施の形態について説明する。なお、第１７の実施の形態と同じ構造を有するものについては、同じ符号を付与することによってその説明を省略する。
【０１４２】
図３４は本発明の第２０の実施の形態における電子写真プリンタの説明図、図３５は本発明の第２０の実施の形態における除電用露光部材の概念図である。
【０１４３】
この場合、印刷媒体としての用紙１６の搬送方向における補助転写部Ｐ２と転写部Ｐ１との間において、露光手段としての除電用露光部材６８が像担持体としての感光体ドラム１１と対向させて、かつ、非接触状態で配設される。そして、前記除電用露光部材６８に除電用電源７０が接続され、除電用露光部材６８に所定の露光電圧を印加する。なお、前記除電用露光部材６８及び除電用電源７０によって除電手段が構成される。
【０１４４】
前記除電用露光部材６８は、複数個の発光ダイオード６９によって構成される発光部から成り、図示されない制御部によって除電用電源７０の露光電圧が制御されるとともに、オン・オフさせられる。
【０１４５】
本実施の形態においては、前記発光ダイオード６９を発光させることによって、感光体ドラム１１と面接触する用紙１６の裏側から感光体ドラム１１上の電荷を除去することができるので、画像のパターンが変化しても抵抗Ｒ１を流れる電流が変化することはない。したがって、感光体ドラム１１と転写部材としての転写ローラ１７との間に形成される電界にばらつきが生じることがないので、画像品位を向上させることができる。
【０１４６】
なお、除電用電源７０の露光電圧を変更することができるようになっている。したがって、露光電圧の電圧値に対応させて発光ダイオード６９の光量を調整し、除電能力を調整することができる。
【０１４７】
そして、用紙１６の裏側から感光体ドラム１１上の電荷を除去する際に、電荷の除去に伴って電界が形成されるが、感光体ドラム１１と用紙１６とが面接触しているので、トナー像が移動したり、トナー１５（図２参照）が飛散したりすることがなく、画像品位を向上させることができる。
【０１４８】
なお、本実施の形態においては、印刷媒体偏向手段としての転写補助ローラ６１に補助電圧を印加するようになっていないが、第１０、第１１の実施の形態と同様に、前記転写補助ローラ６１に補助電圧を印加したり、第１２の実施の形態と同様に、補助電圧の電圧値を印刷環境の変動に対応させて変更したり、第１３の実施の形態と同様に、補助電圧の電圧値を用紙１６の種類に対応させて変更したりすることができる。
【０１４９】
次に、本発明の第２１の実施の形態について説明する。
【０１５０】
図３６は本発明の第２１の実施の形態における用紙の種類と露光電圧との関係図である。
【０１５１】
図において、Ｍ１〜Ｍ３は印刷媒体としての用紙１６（図３４）の種類を表す。
【０１５２】
この場合、用紙１６の種類によって、厚さ、硬さ、大きさ、材料等が異なると、用紙１６の特性も異なる。したがって、露光手段としての除電用露光部材６８に印加される露光電圧の最適値は、用紙１６の種類によって異なる。そして、例えば、用紙１６が厚い場合、露光電圧が低いとすべての電荷を除電することができない。また、用紙１６が薄い場合、露光電圧が高いとトナー像が乱れてしまう。
【０１５３】
そこで、本実施の形態においては、用紙１６の種類に対応させて前記露光電圧の電圧値を変化させるようにしている。
【０１５４】
また、用紙１６の種類に対応させて、前記電圧値を計算、実験等によりあらかじめ検出し、図に示されるように検出結果をテーブルとして図示されない制御部内の記憶部に格納しておく。
【０１５５】
この場合、前記制御部は、印刷動作に先立って、図示されないホストコンピュータからの指示に基づいて、又は電子写真プリンタに配設された図示されない操作盤における設定に基づいて用紙１６の種類を認識し、前記テーブルを参照して前記電圧値を決定する。
【０１５６】
このように、用紙１６の種類及び電子写真プリンタが置かれる湿度に対応する最適な除電電圧を除電用露光部材６８に印加することができるので、画像品位を向上させることができる。
【０１５７】
なお、本発明は前記各実施の形態に限定されるものではなく、本発明の趣旨に基づいて種々変形させることが可能であり、それらを本発明の範囲から排除するものではない。
【図面の簡単な説明】
【０１５８】
【図１】本発明の第１の実施の形態における電子写真プリンタの説明図である。
【図２】従来の電子写真プリンタの概念図である。
【図３】従来の電子写真プリンタの説明図である。
【図４】本発明の第１の実施の形態における転写有効を示される図である。
【図５】本発明の第２の実施の形態における電子写真プリンタの第１の状態図である。
【図６】本発明の第２の実施の形態における電子写真プリンタの第２の状態図である。
【図７】本発明の第３の実施の形態における電子写真プリンタのブロック図である。
【図８】本発明の第３の実施の形態における用紙ガイド駆動部を示される斜視図である。
【図９】本発明の第３の実施の形態における用紙ガイド駆動部を示される側面図である。
【図１０】本発明の第４の実施の形態における用紙ガイドの動作を示されるタイムチャートである。
【図１１】本発明の第５の実施の形態における電子写真プリンタの説明図である。
【図１２】本発明の第６の実施の形態における電子写真プリンタの説明図である。
【図１３】本発明の第７の実施の形態における電子写真プリンタの説明図である。
【図１４】本発明の第８の実施の形態における電子写真プリンタの説明図である。
【図１５】本発明の第９の実施の形態における電子写真プリンタの説明図である。
【図１６】本発明の第１０の実施の形態における電子写真プリンタの説明図である。
【図１７】本発明の第１１の実施の形態における電子写真プリンタの説明図である。
【図１８】本発明の第１２の実施の形態における温度と湿度と補助電圧との関係を示される図である。
【図１９】本発明の第１３の実施の形態における用紙の種類と補助電圧との関係を示される図である。
【図２０】本発明の第１４の実施の形態における電子写真プリンタの第１の説明図である。
【図２１】本発明の第１４の実施の形態における電子写真プリンタの第２の説明図である。
【図２２】本発明の第１４の実施の形態における用紙の種類と湿度と媒体接触角度との関係図である。
【図２３】本発明の第１５の実施の形態における電子写真プリンタの第１の説明図である。
【図２４】本発明の第１５の実施の形態における電子写真プリンタの第２の説明図である。
【図２５】本発明の第１５の実施の形態における用紙の種類と湿度と退避量との関係図である。
【図２６】本発明の第１６の実施の形態における電子写真プリンタの第１の状態図である。
【図２７】本発明の第１６の実施の形態における転写ユニットの要部斜視図である。
【図２８】本発明の第１６の実施の形態における電子写真プリンタの第２の状態図である。
【図２９】本発明の第１７の実施の形態における電子写真プリンタの説明図である。
【図３０】本発明の第１７の実施の形態における除電部材の斜視図である。
【図３１】本発明の第１８の実施の形態における用紙の種類と除電電圧との関係図である。
【図３２】本発明の第１９の実施の形態における温度と湿度と印刷環境変数との関係図である。
【図３３】本発明の第１９の実施の形態における用紙の種類と印刷環境変数と除電電圧との関係を示される図である。
【図３４】本発明の第２０の実施の形態における電子写真プリンタの説明図である。
【図３５】本発明の第２０の実施の形態における除電用露光部材の概念図である。
【図３６】本発明の第２１の実施の形態における用紙の種類と露光電圧との関係図である。
【符号の説明】
【０１５９】
１１    感光体ドラム
１６    用紙
１７    転写ローラ
２０、３０、４０、５１    用紙ガイド
５２    搬送ローラ
５３    加圧ローラ
５８、５９    プレート
６１    転写補助ローラ
６２    補助電源
６４    転写ベルト
６６    除電部材
６７、７０    除電用電源
６８    除電用露光部材
Ｐ１    転写部
Ｐ２    補助転写部
【図１】
2006293414.tif 000003
【図２】
2006293414.tif 000004
【図３】
2006293414.tif 000005
【図４】
2006293414.tif 000006
【図５】
2006293414.tif 000007
【図６】
2006293414.tif 000008
【図７】
2006293414.tif 000009
【図８】
2006293414.tif 000010
【図９】
2006293414.tif 000011
【図１０】
2006293414.tif 000012
【図１１】
2006293414.tif 000013
【図１２】
2006293414.tif 000014
【図１３】
2006293414.tif 000015
【図１４】
2006293414.tif 000016
【図１５】
2006293414.tif 000017
【図１６】
2006293414.tif 000018
【図１７】
2006293414.tif 000019
【図１８】
2006293414.tif 000020
【図１９】
2006293414.tif 000021
【図２０】
2006293414.tif 000022
【図２１】
2006293414.tif 000023
【図２２】
2006293414.tif 000024
【図２３】
2006293414.tif 000025
【図２４】
2006293414.tif 000026
【図２５】
2006293414.tif 000027
【図２６】
2006293414.tif 000028
【図２７】
2006293414.tif 000029
【図２８】
2006293414.tif 000030
【図２９】
2006293414.tif 000031
【図３０】
2006293414.tif 000032
【図３１】
2006293414.tif 000033
【図３２】
2006293414.tif 000034
【図３３】
2006293414.tif 000035
【図３４】
2006293414.tif 000036
【図３５】
2006293414.tif 000037
【図３６】
2006293414.tif 000038